(57)【特許請求の範囲】
【請求項１】
本体に内蔵したヒータと、前記ヒータに電気を供給する電源コードと、前記本体に電源コードを有した接続プラグを挿入可能に設けた第１の開口部と、前記第１の開口部から内方へ窪ませて前記接続プラグを装着可能に形成した凹部と、前記第１の開口部を閉塞する保持体とを具備し、前記保持体は、前記ヒータの回路と電気的に接続された電源コードを通して本体より導出する第２の開口部と、前記電源コードとヒータの回路を電気的に接続するターミナル部を設けたアイロン。
【請求項２】
本体に内蔵したヒータと、前記ヒータに電気を供給する電源コードと、前記本体に電源コードを有した接続プラグを挿入可能に設けた第１の開口部と、前記第１の開口部から内方へ窪ませて前記接続プラグを装着可能に形成した凹部と、前記第１の開口部を閉塞する保持体とを具備し、前記保持体は、前記ヒータの回路と電気的に接続された電源コードを通して本体より導出する第２の開口部と、前記電源コードに導出方向への力が作用したとき、前記電源コードとヒータの回路との電気接続部に張力が加わるのを阻止する固定手段を設けたアイロン。
【請求項３】
固定手段は、複数の部材からなる保持体の間に電源コードを配置し、前記保持体の少なくとも一方の部材に前記電源コードが導出方向へ変位するのを規制する規制部を設けて構成した請求項１または２記載のアイロン。
【請求項４】
固定手段は、複数の部材からなる保持体の間に電源コードを配置し、前記保持体を結合したとき前記電源コード挟圧するように構成した請求項１または２記載のアイロン。
【請求項５】
保持体は、第２の開口部より屈曲自在に導出した電源コードを保護する筒状の保護部を設けた請求項１〜４のいずれか１項に記載のアイロン。
【発明の詳細な説明】
【０００１】
【発明の属する技術分野】
本発明は、衣類等のしわのばしを行うために使用されるアイロンに関するものである。
【０００２】
【従来の技術】
従来、電源コードを接続して使用される一般的な電気器具では、電源コードに接続プラグを設けて器具の本体に着脱自在に構成する他、ヒータの回路に電源コードを直結して本体から導出する構成が採られている。図６および図７に示すアイロンは、電源コードに接続プラグを設けて器具の本体に着脱自在に構成したもので、把手１を有した本体２に気化室（図示せず）を加熱するヒータ３を内蔵しており、このヒータ３近傍の本体２後部に接点４を有した棒状の給電端子５を形成している。給電端子５とヒータ３は導電金具６およびリード線７を介してねじ８により電気的に接続している。
【０００３】
給電端子５は本体２後部に形成した凹部９内に突出させてあり、その開口部１０から凹部９内に磁石（図示せず）を内蔵した接続プラグ１１を挿入し、凹部９内に設けた磁石吸着板１２に吸着させることにより、接続プラグ１１内で電源コード１４と接続した電極１３と給電端子５を接続した状態に保持し、接続プラグ１１を任意に着脱して使用することができる。
【０００４】
また、ヒータ３の回路に電源コード１４を直結して本体２から導出するようにしたアイロンは、図８および図９に示すように、ヒータ３と電源コード１４はリード線７を介してねじ８により電気的に接続している。電源コード１４は本体２後部に孔１５を設け、この孔１５に筒状の保護チューブ１６とともに通して本体２から導出するようにしている。
【０００５】
【発明が解決しようとする課題】
しかし、上記のような従来の構成では、接続プラグ１１を用いて電源コード１４を着脱自在に導出するときは、接続プラグ１１装着用の開口部１０を有した凹部９を本体２に形成し、また、電源コード１４を本体２に固着して導出するときは、電源コード１４を保護チューブ１６とともに通す小さな孔１５を本体２に形成する必要があることから、本体２を形成する大形の樹脂製外郭部品の形状変更に伴う金型投資が大となり、安価に実現することが困難になるという問題があった。
【０００６】
本発明は、上記課題を解決するもので、電源コードの異なる導出構成に対して同一の外郭部品で構成できるようにし、仕様の異なるアイロンを組み立てる際の部品の品種数の増加を抑制し、製造原価の低減を図ることを目的としている。
【０００７】
【課題を解決するための手段】
本発明は、上記目的を達成するために、本体に電源コードを有した接続プラグを挿入可能に設けた第１の開口部と、前記第１の開口部から内方へ窪ませて前記接続プラグを装着可能に形成した凹部を設け、前記第１の開口部を、電源コードを導出する第２の開口部と、前記電源コードとヒータの回路を電気的に接続するターミナル部を設けた保持体で閉塞したものである。
【０００８】
これにより、主要な同一の部品によって異なる電源コードの導出構成を実現することができ、仕様の異なるアイロンの部品品種数の増加を抑制し、安価に供することができる。
【０００９】
【発明の実施の形態】
本発明の請求項１に記載の発明は、本体に内蔵したヒータと、前記ヒータに電気を供給する電源コードと、前記本体に電源コードを有した接続プラグを挿入可能に設けた第１の開口部と、前記第１の開口部から内方へ窪ませて前記接続プラグを装着可能に形成した凹部と、前記第１の開口部を閉塞する保持体とを具備し、前記保持体は、前記ヒータの回路と電気的に接続された電源コードを通して本体より導出する第２の開口部と、前記電源コードとヒータの回路を電気的に接続するターミナル部を設けたことにより、電源コードの異なる導出構成を共用の本体で容易に実現することができる。
【００１０】
請求項２に記載の発明は、本体に内蔵したヒータと、前記ヒータに電気を供給する電源コードと、前記本体に電源コードを有した接続プラグを挿入可能に設けた第１の開口部と、前記第１の開口部から内方へ窪ませて前記接続プラグを装着可能に形成した凹部と、前記第１の開口部を閉塞する保持体とを具備し、前記保持体は、前記ヒータの回路と電気的に接続された電源コードを通して本体より導出する第２の開口部と、前記電源コードに導出方向への力が作用したとき、前記電源コードとヒータの回路との電気接続部に張力が加わるのを阻止する固定手段を設けたことにより、本体を内方へ窪ませて形成した凹部を利用することができ、限られた空間を有効に利用して電源コードとヒータの回路との電気接続部に張力が加わるのを防止することができる。
【００１１】
請求項３に記載の発明は、上記請求項１または２記載の発明において、固定手段は、複数の部材からなる保持体の間に電源コードを配置し、前記保持体の少なくとも一方の部材に前記電源コードが導出方向へ変位するのを規制する規制部を設けて構成したものであり、保持体と電源コードをユニット化して接続プラグとの付け替えを容易にするとともに、コンパクトな構成で確実に電源コードを固定することができる。
【００１２】
請求項４に記載の発明は、上記請求項１または２記載の発明において、固定手段は、複数の部材からなる保持体の間に電源コードを配置し、前記保持体を結合したとき前記電源コード挟圧するように構成したものであり、電源コードとヒータの回路との電気接続部に張力が加わるのを確実に防止することができる。
【００１３】
請求項５に記載の発明は、上記請求項１〜４に記載の発明において、保持体は、第２の開口部より屈曲自在に導出した電源コードを保護する筒状の保護部を設けたものであり、使用時の姿勢の変化による屈曲に対して電源コードの出口部分を保護することができる。
【００１４】
【実施例】
以下、本発明の実施例について図１〜図５に基づいて説明する。
【００１５】
（実施例１）
図において、２０は上部に把手２１を設けた複数の樹脂成型品からなる本体で、内部にはスチーム発生用の気化室（図示せず）を加熱するヒータ２２を内蔵しており、本体２０の下面に設けた布製のソフトかけ面からなるスチーム噴出部２３からスチームを噴出させて衣類のしわ伸ばしを行う。
【００１６】
２４は本体２０の後部に前記ヒータ２２の端子部分と対向して設けた凹部で、ヒータ２２の回路と電気的に接続される接続プラグ（図示せず）が装着可能なように、同接続プラグの形状に合わせて長形に形成してあり、前記接続プラグを挿入可能に設けた第１の開口部２５から本体２０を内方へ窪ませて形成している。
【００１７】
２６は前記第１の開口部２５を閉塞して凹部２４を覆う保持体で、導電用のリード線２７を介してねじ２８によりヒータ２２と電気的に接続した電源コード２９を保持する。この保持体２６は、前記ヒータ２２の回路と電気的に接続された電源コード２９を通して本体２０より導出する第２の開口部３０と、前記電源コード２９とヒータ２２の回路を電気的に接続するターミナル部３１と、保持体２６の第２の開口部３０より導出した電源コード２９を保護する屈曲自在な筒状の保護部３２を設けている。
【００１８】
また、保持体２６は、複数の部材で構成してあり、電源コード２９に導出方向への力が作用したとき、電源コード２９とヒータ２２の回路との電気接続部（例えばターミナル部３１等）に張力が加わるのを阻止する固定手段を有し、この固定手段は、複数の部材からなる保持体２６の間に電源コード２９を配置し、保持体２６の少なくとも一方の部材３３に電源コード２９が導出方向へ変位するのを規制する規制部３４を設けて構成している。
【００１９】
この規制部３４は、保持体２６の一方の部材３３に形成した突起により形成してあり、電源コード２９が突起を取り囲むように迂回させてターミナル部３１に接続することにより、電源コード２９が導出方向へ変位するのを規制するようにしている。そして、上記突起は他方の部材３５を取り付けるための突起を利用してもよい。また、保持体２６は他方の部材３５を一方の部材３３にねじ３６で固着することで、保護部３２も保持体２６と一体となるように構成している。
【００２０】
すなわち、保持体２６は、ヒータ２２の回路と電気的に接続するターミナル部３１と、第２の開口部３０より導出した保護部３２と、電源コード２９が導出方向へ変位するのを規制する規制部３４で構成した固定部と、電源コード２９をその間に配設する複数の部材３３、３５とを電源コード２９と一体に構成し、ユニット化している。
【００２１】
また、複数の部材３３、３５をねじ３６で結合したとき、電源コード２９を挟圧するように構成すると、保持体２６に強固に固着することができ、使用中や運搬時等に電源コード２９に導出方向への力が作用したとき、電源コード２９とヒータ２２の回路との電気接続部に張力が加わるのを防止して、電気的接続を良好に保持することができる。
【００２２】
また、保持体２６は、第２の開口部３０より導出した電源コード２９を保護する屈曲自在な筒状の保護部３２を一体成型により設けることができ、構成の簡素化を促進することができる。
【００２３】
なお、保持体２６の第２の開口部３０より導出した保護部３２に、複数の部材３３、３５の結合方向へ突出するように軸部３７を設け、この軸部３７を複数の部材３３、３５に設けた孔３８に嵌合させることにより、保護部３２を保持体２６の第２の開口部３０より水平方向へ所定の角度で回動自在に設けることができる。この回動方向は軸部３７を水平方向に支持することによって垂直方向にすることもでき、本体２０の動作に連動して回動することで電源コード２９の耐久性を向上させることができる。
【００２４】
上記構成において作用について説明する。第１の開口部２５は電源コード２９を着脱自在に装着可能な接続プラグの形状に合わせて大きく開放するように形成しているが、電源コード２９を本体２０に固着して導出させるときは、第１の開口部２５を保持体２６で閉塞することができるため、塵埃等の異物の侵入を防ぐことができる。また、保持体２６に代えて、本体２０に図６に基づいて説明した接続プラク１１接続用の給電端子５を設けることにより、本体２０の外郭形状を変更することなく、容易にコード着脱式の商品を実現することができる。
【００２５】
本実施例では、コード着脱式の例を示したが、アイロン本体をスタンドに載置して加熱するコードレスアイロンにおいても同様の効果を得ることができる。
【００２６】
【発明の効果】
以上のように本発明の請求項１に記載の発明によれば、本体に内蔵したヒータと、前記ヒータに電気を供給する電源コードと、前記本体に電源コードを有した接続プラグを挿入可能に設けた第１の開口部と、前記第１の開口部から内方へ窪ませて前記接続プラグを装着可能に形成した凹部と、前記第１の開口部を閉塞する保持体とを具備し、前記保持体は、前記ヒータの回路と電気的に接続された電源コードを通して本体より導出する第２の開口部と、前記電源コードとヒータの回路を電気的に接続するターミナル部を設けたから、電源コードの異なる導出構成を共用の本体で容易に実現することができる。
【００２７】
また、請求項２に記載の発明によれば、本体に内蔵したヒータと、前記ヒータに電気を供給する電源コードと、前記本体に電源コードを有した接続プラグを挿入可能に設けた第１の開口部と、前記第１の開口部から内方へ窪ませて前記接続プラグを装着可能に形成した凹部と、前記第１の開口部を閉塞する保持体とを具備し、前記保持体は、前記ヒータの回路と電気的に接続された電源コードを通して本体より導出する第２の開口部と、前記電源コードに導出方向への力が作用したとき、前記電源コードとヒータの回路との電気接続部に張力が加わるのを阻止する固定手段を設けたから、本体内の限られた空間を有効に利用して電源コードとヒータの回路との電気接続部に張力が加わるのを防止することができる。
【００２８】
また、請求項３に記載の発明によれば、固定手段は、複数の部材からなる保持体の間に電源コードを配置し、前記保持体の少なくとも一方の部材に前記電源コードが導出方向へ変位するのを規制する規制部を設けて構成したから、保持体と電源コードをユニット化して、接続プラグ用の給電ピンとの付け替えを容易にするとともに、コンパクトな構成で確実に電源コードを固定することができる。
【００２９】
また、請求項４に記載の発明によれば、固定手段は、複数の部材からなる保持体の間に電源コードを配置し、前記保持体を結合したとき前記電源コード挟圧するように構成したから、電源コードとヒータの回路との電気接続部に張力が加わるのを確実に防止することができる。
【００３０】
また、請求項５に記載の発明は、保持体は、第２の開口部より屈曲自在に導出した電源コードを保護する筒状の保護部を設けたから、簡単な構成により電源コードの出口部分を保護することができる。
【図面の簡単な説明】
【図１】本発明の実施例１のアイロンの要部断面図
【図２】同アイロンの一部切欠した後面図
【図３】同アイロンの保持体の断面図
【図４】同アイロンの保持体の下面図
【図５】同アイロンの保持体の一部分解した下面図
【図６】従来の接続プラグを用いて電源コードを着脱自在に導出したアイロンの一部切欠した要部断面図
【図７】同アイロンの一部切欠した後面図
【図８】従来の電源コードを本体に固着して導出したアイロンの一部切欠した要部断面図
【図９】同アイロンの一部切欠した後面図
【符号の説明】
２０  本体
２２  ヒータ
２９  電源コード
２４  凹部
２５  第１の開口部
２６  保持体
３０  第２の開口部
３１  ターミナル部
【図１】
0003945251.tif 000002
【図２】
0003945251.tif 000003
【図３】
0003945251.tif 000004
【図４】
0003945251.tif 000005
【図５】
0003945251.tif 000006
【図６】
0003945251.tif 000007
【図７】
0003945251.tif 000008
【図８】
0003945251.tif 000009
【図９】
0003945251.tif 000010